(57)【要約】【課題】建物の出隅部や入隅部に屋根パネルの配設するにあたって、施工を容易とするとともに、設計に与える影響を少なくすることを可能とする小屋組を提供すること。【解決手段】建物（住宅１００、２００）の出隅部１００ａ、２００ａに、勾配を有する屋根パネル１３、２３どうしを隣接して配設する際に、好適に用いられる小屋組１０、２０である。小屋組１０、２０は、出隅部１００ａ、２００ａ側の端部１２ａ、２２ａ以外を屋切パネル１１、２１に支持され、跳ね出された状態の出隅部１００ａ、２００ａ側の端部１２ａ、２２ａで屋根パネル１３、２３を支持する屋根梁１２、２２を有している。【選択図】　　　図１
2004137717.tif 000002
【特許請求の範囲】
【請求項１】
建物の出隅部において、勾配を有する屋根パネルどうしが隣接して配設されてなる小屋組において、
前記出隅部側の端部以外を構造部材に支持され、跳ね出された状態の前記出隅部側の端部で前記屋根パネルを支持する屋根梁を有することを特徴とする小屋組。
【請求項２】
前記屋根梁は、勾配を有する屋根パネルそれぞれの側に設けられ、これら屋根梁は前記出隅部で互いに連結されていることを特徴とする請求項１に記載の小屋組。
【請求項３】
建物の入隅部において、勾配を有する屋根パネルどうしが隣接して配設されてなる小屋組において、
前記入隅部側の端部以外を構造部材に支持され、跳ね出された状態の前記入隅部側の端部で前記屋根パネルを支持する屋根梁を有することを特徴とする小屋組。
【請求項４】
前記屋根梁は、勾配を有する屋根パネルそれぞれの側に設けられ、これら屋根梁は前記入隅部で互いに連結されていることを特徴とする請求項３に記載の小屋組。
【請求項５】
前記構造部材は、前記屋根梁を支持可能な屋切パネルであることを特徴とする請求項１〜請求項４のいずれか一項に記載の小屋組。
【請求項６】
前記屋切パネルには溝が形成され、この溝に前記屋根梁が連結していることを特徴とする請求項５に記載の小屋組。
【発明の詳細な説明】
【０００１】
【発明の属する技術分野】
本発明は、パネル工法によって構築される建物に用いられる小屋組に関する。
【０００２】
【背景の技術】
近年、住宅の構築においては、プレハブ化が進み、屋根、壁、床等がユニット化された屋根パネル、壁パネル、床パネル等を用いるパネル工法が採り入れられ、工期が短縮されているとともに、特に最近はデザイン性も注目されている。
前記したパネルのうち、一般に屋根パネルは屋切パネルやこの屋切パネルに設けられる屋根梁等に支持されて配設される。ところで、住戸には、出隅部や入隅部が必然的に生じるが、これら出隅部や入隅部に対する屋根パネルの配設は、勾配を有する屋根パネルが互いに隣接するようにしてなされる。ところで、１枚のパネルにはその強度等の問題から大きさに限界があり、したがって、屋根パネルは、出隅部や入隅部において、勾配を有するものどうしで隣接させる他、同じ勾配面を構成するものどうしでも隣接させて配設する必要がある。しかしながら、出隅部や入隅部には屋切パネルを配設することは一般に難しく、これにより、従来は出隅部や入隅部には屋根パネルを支持する屋根梁も設けられていなかった。前記したように、出隅部や入隅部において、屋根パネルを、勾配を有するものどうしで隣接させるとともに同じ勾配面を構成するものどうしで隣接させて配設する際には、従来は、図６に示すように、出隅部や入隅部に柱材Ｘや壁材を設け、これら柱材Ｘや壁材によって屋根パネルを支持させて行う方法が一般的であった。
【０００３】
なお、この従来技術は、発明者等が公然と実施していたものの、特許出願等による開示はなかった。
【０００４】
【発明が解決しようとする課題】
しかしながら、上記従来技術においては、出隅部や入隅部において、屋根パネルを支持するための柱材Ｘや壁材を設ける必要があり、施工が煩雑であるとともに、これら柱材や壁材によって住戸プランが制約を受けることも少なくなかった。
【０００５】
本発明の課題は、建物の出隅部や入隅部に屋根パネルの配設するにあたって、施工を容易とするとともに、設計に与える影響を少なくすることを可能とする小屋組を提供することである。
【０００６】
【課題を解決するための手段】
上記課題を解決するために、請求項１に記載の発明は、例えば図１〜図４に示すように、
建物（住宅１００、２００）の出隅部１００ａ、２００ａにおいて、勾配を有する屋根パネル１３、２３どうしが隣接して配設されてなる小屋組１０、２０において、
前記出隅部１００ａ、２００ａ側の端部１２ａ、２２ａ以外を構造部材（屋切パネル１１、２１）に支持され、跳ね出された状態の前記出隅部１００ａ、２００ａ側の端部１２ａ、２２ａで前記屋根パネル１３、２３を支持する屋根梁１２、２２を有することを特徴としている。
【０００７】
請求項１に記載の発明によれば、前記小屋組１０、２０においては、建物（住宅１００、２００）の出隅部１００ａ、２００ａにおいて、勾配を有し、隣接して配設された状態の屋根パネル１３、２３が、前記屋根梁１２、２２の跳ね出された状態の前記出隅部１００ａ、２００ａ側の端部１２ａ、２２ａで支持される。これにより、従来のように、建物（住宅１００、２００）の出隅部１００ａ、２００ａにおいて、勾配を有して隣接して配設される屋根パネル１３、２３を支持するために、前記出隅部１００ａ、２００ａに柱材や壁材を設ける必要がない。したがって、従来に比して、施工を容易とするとともに、住戸プラン等の設計に与える影響を少なくすることができる。
【０００８】
なお、前記出隅部１００ａ、２００ａにおいては、勾配を有する屋根パネル１３、２３どうしが隣接して配設されているだけでなく、同じ勾配面を構成する屋根パネル１３、２３どうしが隣接して配設されていてもよいことは勿論である。また、前記屋根パネル１３、２３の勾配は、建物（住宅１００、２００）の内部側に行くにつれて、上方に傾斜するものでもよいし、下方に傾斜するものでもよい。
【０００９】
なお、前記屋根梁１２、３２は、隣接する屋根パネル１３、２３それぞれの側に設けられていても、いずれか一方の屋根パネル１３、２３側に設けられていてもよい。前記屋根梁１２、２２が、いずれか一方の屋根パネル１３、２３側に設けられている場合においても、前記屋根梁１２、２２の跳ね出した状態の前記出隅部１００ａ、２００ａの端部で、建物（住宅１００、２００）の出隅部１００ａ、２００ａにおいて、隣接する屋根パネル１３、２３それぞれを支持することは可能である。
【００１０】
請求項２に記載の発明は、例えば図１〜図４に示すように、請求項１に記載の小屋組１０、２０において、
前記屋根梁１２、２２は、勾配を有する屋根パネル１３、２３それぞれの側に設けられ、これら屋根梁１２、２２は前記出隅部１００ａ、２００ａで互いに連結されていることを特徴としている。
【００１１】
請求項２に記載の発明によれば、前記屋根梁１２、２２は、勾配を有する屋根パネル１３、２３それぞれの側に設けられているので、これら屋根パネル１３、２３をより安定的に支持することができる。また、前記屋根梁１２、２２は前記出隅部１００ａ、２００ａで互いに連結されているので、前記屋根パネル１３、２３をさらに安定的に支持することができる他、小屋組１０、２０をその剛性を確保して安定させることができる。
【００１２】
請求項３に記載の発明は、例えば図５に示すように、
建物（住宅３００）の入隅部３００ａにおいて、勾配を有する屋根パネル３３どうしが隣接して配設されてなる小屋組３０において、
前記入隅部３００ａ側の端部３２ａ以外を構造部材（屋切パネル３１）に支持され、跳ね出された状態の前記入隅部３００ａ側の端部３２ａで前記屋根パネル３３を支持する屋根梁３２を有することを特徴としている。
【００１３】
請求項３に記載の発明によれば、前記小屋組３０においては、建物（住宅）の入隅部３００ａにおいて、勾配を有し、隣接して配設された状態の屋根パネル３３が、前記屋根梁３２の跳ね出された状態の前記入隅部３００ａ側の端部３２ａで支持される。これにより、従来のように、建物（住宅３００）の入隅部３００ａにおいて、勾配を有して隣接して配設される屋根パネル３３を支持するために、前記入隅部３００ａに柱材や壁材を設ける必要がない。したがって、従来に比して、施工を容易とするとともに、住戸プラン等の設計に与える影響を少なくすることができる。
【００１４】
請求項４に記載の発明は、例えば図５に示すように、請求項３に記載の小屋組３０において、
前記屋根梁３２は、勾配を有する屋根パネル３３それぞれの側に設けられ、これら屋根梁３２は前記入隅部３００ａで互いに連結されていることを特徴としている。
【００１５】
請求項４に記載の発明によれば、前記屋根梁３２は、勾配を有する屋根パネル３３それぞれの側に設けられているので、これら屋根パネル３３をより安定的に支持することができる。また、前記屋根梁３２は前記入隅部３００ａで互いに連結されているので、前記屋根パネル３３をさらに安定的に支持することができる他、小屋組３０をその剛性を確保して安定させることができる。
【００１６】
請求項５に記載の発明は、例えば図１〜図５に示すように、請求項１〜請求項４のいずれか一項に記載の小屋組１０、２０において、
前記構造部材は、前記屋根梁１２、２２、３２を支持可能な屋切パネル１１、２１、３１であることを特徴としている。
【００１７】
請求項５に記載の発明によれば、前記構造部材は、前記屋根梁１２、２２、３２を支持可能な屋切パネル１１、２１、３１であるので、この屋切パネル１１、２１、３１は前記屋根梁１２、２２、３２を支持するのみではなく前記屋根パネル１３、２３、３３も支持する。したがって、屋根パネル１３、２３、３３、屋根梁１２、２２、３２、屋切パネル１１、２１、３１を含む小屋組１０、２０、３０を安定させることができる。
【００１８】
請求項６に記載の発明は、例えば図１〜図５に示すように、請求項５に記載の小屋組１０、２０において、
前記屋切パネル１１、２１、３１には溝１１ａ、２１ａ、３１ａが形成され、この溝１１ａ、２１ａ、３１ａに前記屋根梁１２、２２、３２が連結していることを特徴としている。
【００１９】
請求項６に記載の発明によれば、前記屋切パネル１１、２１、３１に形成された溝１１ａ、２１ａ、３１ａに、屋根梁１２、２２、３２が連結しているので、屋根梁１２、２２、３２を適切な位置に精度良く取り付けることができる他、屋切パネル１１、２１、３１と屋根梁１２、２２、３２との一体性を確保して小屋組１０、２０、３０を安定させることができる。
【００２０】
【発明の実施の形態】
以下、本発明に係る建物の実施形態について、図１〜図５を参照して詳細に説明する。
【００２１】
［第１の実施の形態］
本実施の形態は、図１、図２に示すように、中央部に吹抜部１００ｂを有するとともに、４ヶ所の出隅部１００ａを有する平面視において略ロ字型のプランを備える住宅１００（建物）に関するものである。住宅１００には、吹抜部１００ｂを除く部分に、中央部から外周部に向けて４方向に下方傾斜する屋根が形成され、異なる勾配を有する屋根は、出隅部１００ａにおいて隣接している。この住宅１００は、小屋組１０と、この小屋組１０を支持する支持構造とからなる。小屋組１０は、屋切パネル１１、屋根梁１２、屋根パネル１３等から構成され、支持構造は、第１の壁パネル１４、第２の壁パネル１５、第３の壁パネル１６等から構成されている。なお、図２は、図１に示す小屋組１０を有する住戸の一例を示す断面図である。吹抜部１００ｂの下部には、図２に示すように、中庭１００ｃが形成されていている。
【００２２】
これらのうちで、屋切パネル１１、屋根パネル１３、第１の壁パネル１４、第２の壁パネル１５、第３の壁パネル１６は、芯材で形成された枠体の少なくとも一面に面材が固定されて形成されるものであり、工場生産され、所定の剛性が確保されている。
【００２３】
屋切パネル１１は、略直角三角形状をなし、斜辺部は、屋根パネル１３を受ける部分となる。屋切パネル１１の斜辺部には、予め工場等で溝１１ａが形成されている。
【００２４】
屋切パネル１１の斜辺部には、予め溝１１ａが形成されており、屋根梁１２が連結する。
【００２５】
屋根梁１２は、屋切パネル１１を繋ぐようにして屋切パネル１１の溝１１ａに連結した状態に、平面視において略矩形配置される。この際、屋根梁１２は、　出隅部１００ａ側の端部１２ａ以外を屋切パネル１１に支持され、跳ね出された状態の出隅部１００ａ側の端部１２ａで屋根パネル１３を支持している。なお、屋根梁を有することを特徴としている。なお、屋根梁１２の、跳ね出された状態の出隅部１００ａ側の端部１２ａは、屋根パネル１３を安定的に支持できるように、適宜形状が整えられている。平面視において略矩形配置された４本の屋根梁１２のうち、隣接する屋根梁１２どうしは、互いにボルト、釘等によって連結されている。
【００２６】
屋根パネル１３は、第１の壁パネル１４、第２の壁パネル１５、第３の壁パネル１６、屋切パネル１１、屋根梁１２等のそれぞれ上端部に配設され、適宜、ボルト、釘等によって固定される。
【００２７】
第１の壁パネル１４は、複数枚が適宜連結されて、平面視において略矩形配置される外壁を構成する。なお、第１の壁パネル１４には、適宜所定の大きさの開口部が形成されている。
【００２８】
第２の壁パネル１５は、第１の壁パネル１４より高い高さ寸法を有し、複数枚が適宜連結されて、平面視において前記外壁より内側に略矩形配置される外壁を構成する。なお、第２の壁パネル１５には、適宜所定の大きさの開口部が形成されている。
【００２９】
第３の壁パネル１６は、外壁となる第１の壁パネル１４と内壁となる第２の壁パネル１５とを連結するものであり、住宅１００を部屋ごとに区切る内壁となる。第３の壁パネル１６は、複数枚が適宜連結されて内壁を構成する。なお、第３の壁パネル１６には、適宜所定の大きさの開口部が形成されている。
【００３０】
床パネル１７は、第１の壁パネル１４、第２の壁パネル１５、第３の壁パネル１６等が載置されるものである。床パネル１７どうしは、適宜、ボルト、釘等によって連結される。
【００３１】
基礎１８は、コンクリート製であり、床パネル１７、第１の壁パネル１４、第２の壁パネル１５、第３の壁パネル１６等を固定するためのアンカーボルトが埋設されている。このアンカーボルトは、土台１９、床パネル１７、第１の壁パネル１４、第２の壁パネル１５、第３の壁パネル１６の芯材を挿通しており、ナットで締め付けられることによって、土台１９、床パネル１７、第１の壁パネル１４、第２の壁パネル１５、第３の壁パネル１６等を基礎１８に固定する。
【００３２】
土台１９は、基礎１８に埋設されたアンカーボルトを挿通するとともに、床パネル１７が載置される。
【００３３】
なお、これら組み立てられたパネルには、防水加工や装飾が適切に施されることは勿論である。
【００３４】
次に、本発明に係る住宅１００の構築方法としては、基礎１８をコンクリートによって形成し、その後、前記したような方法で床パネル１７を配設する。そして、床パネル１７の上面に、第１の壁パネル１４、第２の壁パネル１５、第３の壁パネル１６等を前記した方法で建て込む。なお、パネルどうしの連結は、適宜、ボルト、釘等を用いて行えばよい。
【００３５】
次に、屋切パネル１１を第３の壁パネル１６上に、ボルト、釘等を用いて連結する。
【００３６】
次に、屋切パネル１１の上端部に予め工場等で形成された溝１１ａに、屋根梁１２を、ボルト、釘等によって固定する。
【００３７】
次に、屋切パネル１１を屋根梁１２によって連結する。この際、隣接する屋根梁１２の、出隅部１００ａ側の端部１２ａどうしはボルト、釘等によって連結する。
【００３８】
次に、第１の壁パネル１４、第２の壁パネル１５、屋切パネル１１、屋根梁１２、上に屋根パネル１３をボルト、釘等によって取り付ける。
【００３９】
本実施の形態によれば、以下のような効果を得ることができる。
▲１▼小屋組１０においては、住宅１００の出隅部１００ａにおいて、勾配を有し、隣接して配設された状態の屋根パネル１３が、屋根梁１２の跳ね出された状態の出隅部１００ａ側の端部１２ａで支持される。これにより、従来のように、住宅１００の出隅部１００ａにおいて、勾配を有して隣接して配設される屋根パネル１３を支持するために、出隅部１００ａに柱材や壁材を設ける必要がない。したがって、従来に比して、施工を容易とするとともに、住戸プラン等の設計に与える影響を少なくすることができる。
【００４０】
▲２▼屋根梁１２は、勾配を有する屋根パネル１３それぞれの側に設けられているので、これら屋根パネル１３をより安定的に支持することができる。また、屋根梁１２は出隅部１００ａで互いに連結されているので、屋根パネル１３をさらに安定的に支持することができる他、小屋組１０をその剛性を確保して安定させることができる。
【００４１】
▲３▼屋根梁１２が支持される構造部材は、屋根パネル１３を支持可能な屋切パネル１１であるので、この屋切パネル１１は屋根梁１２を支持するのみではなく屋根パネル１３も支持する。したがって、屋根パネル１３、屋根梁１２、屋切パネル１１を含む小屋組１０を安定させることができる。
【００４２】
▲４▼屋切パネル１１に形成された溝１１ａに、屋根梁１２が連結しているので、屋根梁１２を適切な位置に精度良く取り付けることができる他、屋切パネル１１と屋根梁１２との一体性を確保して小屋組１０を安定させることができる。
【００４３】
［第２の実施の形態］
本実施の形態は、図３、図４に示すように、中央部に吹抜部２００ｂを有するとともに、４ヶ所の出隅部２００ａを有する平面視において略ロ字型のプランを備える住宅２００（建物）に関するものである。住宅２００には、吹抜部２００ｂを除く部分に、外周部から中央部に向けて４方向に下方傾斜する屋根が形成され、勾配を有する屋根は、出隅部２００ａにおいて隣接している。これにより、住宅２００の屋根は、吹抜部２００ｂ側に雪を落下させることが可能は無落雪屋根となっている。この住宅２００は、小屋組２０と、この小屋組２０を支持する支持構造とからなる。小屋組２０は、屋切パネル２１、屋根梁２２、屋根パネル２３等から構成され、支持構造は、第１の壁パネル２４、第２の壁パネル２５、第３の壁パネル２６等から構成されている。なお、図４は、図３に示す小屋組２０を有する住戸の一例を示す断面図である。吹抜部２００ｂは、図４に示すように、スノーダクト２００ｃとして使用されている。
【００４４】
なお、本実施の形態の構成は、［第１の実施の形態］の構成と略同一であるので、構成要素に関連番号、すなわち例えば、［第１の実施の形態］の符号１１に対して、［第２の実施の形態］の符号２１、［第１の実施の形態］の符号１００に対して、［第２の実施の形態］の符号２００、等を付して説明を省略する。
【００４５】
本実施の形態によれば、［第１の実施の形態］における▲１▼〜▲４▼と同様の効果を得ることができる。
【００４６】
［第３の実施の形態］
本実施の形態は、図５に示すように、入隅部３００ａを有するプランを備える住宅３００に関するものである。住宅３００には、入隅部において、内部側から外部側に向けて２方向に下方傾斜する屋根が形成され、勾配を有する屋根は、入隅部３００ａにおいて隣接している。この住宅３００は、小屋組３０と、この小屋組３０を支持する支持構造とからなる。小屋組３０は、屋切パネル３１、屋根梁３２、屋根パネル３３等から構成され、支持構造は、第１の壁パネル３４、第２の壁パネル３５、第３の壁パネル３６等から構成されている。
【００４７】
なお、本実施の形態の構成は、［第１の実施の形態］の構成と略同一であるので、構成要素に関連番号、すなわち例えば、［第１の実施の形態］の符号１１に対して、［第３の実施の形態］の符号３１、［第１の実施の形態］の符号１００に対して、［第３の実施の形態］の符号３００、等を付して説明を省略する。
【００４８】
本実施の形態によれば、［第１の実施の形態］における▲３▼、▲４▼の効果が得られるほか、以下のような効果を得ることができる。
【００４９】
▲５▼小屋組３０においては、住宅３００の入隅部３００ａにおいて、勾配を有し、隣接して配設された状態の屋根パネル３３が、屋根梁３２の跳ね出された状態の入隅部３００ａ側の端部で支持される。これにより、従来のように、住宅の入隅部３００ａにおいて、勾配を有して隣接して配設される屋根パネル３３を支持するために、入隅部３００ａに柱材や壁材を設ける必要がない。したがって、従来に比して、施工を容易とするとともに、住戸プラン等の設計に与える影響を少なくすることができる。
【００５０】
▲６▼屋根梁３２は、勾配を有する屋根パネル３３それぞれの側に設けられているので、これら屋根パネル３３をより安定的に支持することができる。また、屋根梁３２は入隅部３００ａで互いに連結されているので、屋根パネル３３をさらに安定的に支持することができる他、小屋組３０をその剛性を確保して安定させることができる。
【００５１】
【発明の効果】
請求項１に記載の発明によれば、前記小屋組においては、建物の出隅部において、勾配を有し、隣接して配設された状態の屋根パネルが、前記屋根梁の跳ね出された状態の前記出隅部側の端部で支持される。これにより、従来のように、建物の出隅部において、勾配を有して隣接して配設される屋根パネルを支持するために、前記出隅部に柱材や壁材を設ける必要がない。したがって、従来に比して、施工を容易とするとともに、住戸プラン等の設計に与える影響を少なくすることができる。
【００５２】
請求項２に記載の発明によれば、請求項１に記載の発明と同様の効果が得られることは勿論のこと、前記屋根梁は、勾配を有する屋根パネルそれぞれの側に設けられているので、これら屋根パネルをより安定的に支持することができる。また、前記屋根梁は前記出隅部で互いに連結されているので、前記屋根パネルをさらに安定的に支持することができる他、小屋組をその剛性を確保して安定させることができる。
【００５３】
請求項３に記載の発明によれば、前記小屋組においては、建物の入隅部において、勾配を有し、隣接して配設された状態の屋根パネルが、前記屋根梁の跳ね出された状態の前記入隅部側の端部で支持される。これにより、従来のように、建物の入隅部において、勾配を有して隣接して配設される屋根パネルを支持するために、前記入隅部に柱材や壁材を設ける必要がない。したがって、従来に比して、施工を容易とするとともに、住戸プラン等の設計に与える影響を少なくすることができる。
【００５４】
請求項４に記載の発明によれば、請求項３に記載の発明と同様の効果が得られることは勿論のこと、前記屋根梁は、勾配を有する屋根パネルそれぞれの側に設けられているので、これら屋根パネルをより安定的に支持することができる。また、前記屋根梁は前記出隅部で互いに連結されているので、前記屋根パネルをさらに安定的に支持することができる他、小屋組をその剛性を確保して安定させることができる。
【００５５】
請求項５記載の発明によれば、請求項１〜請求項４のいずれか一項に記載の発明と同様の効果が得られることは勿論のこと、前記構造部材は、前記屋根梁を支持可能な屋切パネルであるので、この屋切パネルは前記屋根梁を支持するのみではなく前記屋根パネルも支持する。したがって、屋根パネル、屋根梁、屋切パネルを含む小屋組を安定させることができる。
【００５６】
請求項６記載の発明によれば、請求項５に記載の発明と同様の効果が得られることは勿論のこと、前記屋切パネルに形成された溝に、屋根梁が連結しているので、屋根梁を適切な位置に精度良く取り付けることができる他、屋切パネルと屋根梁との一体性を確保して小屋組を安定させることができる
【図面の簡単な説明】
【図１】（ａ）は屋根パネルが配設されていない状態の、出隅部を有した本発明に係る小屋組の一例を示す斜視図であり、（ｂ）は屋根パネルが配設された状態の小屋組を示す斜視図である。
【図２】図１に示す小屋組を有する住戸の一例を示す断面図である。
【図３】（ａ）は屋根パネルが配設されていない状態の、出隅部を有した本発明に係る小屋組の一例を示す斜視図であり、（ｂ）は屋根パネルが配設された状態の小屋組を示す斜視図である。
【図４】図３に示す小屋組を有する住戸の一例を示す断面図である。
【図５】屋根パネルが配設されていない状態の、入隅部を有した本発明に係る小屋組の一例を示す斜視図である。
【図６】出隅部を有した従来の小屋組の一例を示す斜視図である。
【符号の説明】
１００　　　　住宅（建物）
１０　　　　小屋組
１１　　　屋切パネル
１２　　　屋根梁
１２ａ　出隅側の端部
１３　　　屋根パネル
２００　　　　住宅（建物）
２０　　　　小屋組
２１　　　屋切パネル
２２　　　屋根梁
２２ａ　出隅側の端部
２３　　　屋根パネル
３００　　　　住宅（建物）
３０　　　　小屋組
３１　　　屋切パネル
３２　　　屋根梁
３２ａ　出隅側の端部
３３　　　屋根パネル
【図１】
2004137717.tif 000003
【図２】
2004137717.tif 000004
【図３】
2004137717.tif 000005
【図４】
2004137717.tif 000006
【図５】
2004137717.tif 000007
【図６】
2004137717.tif 000008